(57)【要約】【課題】ユーザのゲーム継続意欲を向上させるプログラム、情報処理装置、及び制御方法を提供する。【解決手段】プログラムは、ゲームを実行する情報処理装置に、ユーザ操作を受け付けるインターフェースを表示させるステップと、前記インターフェースによって受け付けられた前記ユーザ操作に基づきゲーム媒体に関する第１情報を記憶するステップと、ゲーム媒体選択処理によって複数のゲーム媒体の中から選択され、ユーザに関連付けられるゲーム媒体に関する第２情報を記憶するステップと、前記第１情報と前記第２情報とを比較するステップと、前記第１情報と前記第２情報との比較結果を表示させるステップと、前記第１情報と前記第２情報との比較に基づいて、前記ゲーム内で所定のゲーム効果を発揮可能にするステップと、を実行させる。【選択図】図１
2019025067.tif 000002
【特許請求の範囲】
【請求項１】
ゲームを実行する情報処理装置に、
ユーザ操作を受け付けるインターフェースを表示させるステップと、
前記インターフェースによって受け付けられた前記ユーザ操作に基づきゲーム媒体に関する第１情報を記憶するステップと、
ゲーム媒体選択処理によって複数のゲーム媒体の中から選択され、ユーザに関連付けられるゲーム媒体に関する第２情報を記憶するステップと、
前記第１情報と前記第２情報とを比較するステップと、
前記第１情報と前記第２情報との比較結果を表示させるステップと、
前記第１情報と前記第２情報との比較に基づいて、前記ゲーム内で所定のゲーム効果を発揮可能にするステップと、
を実行させる、プログラム。
【請求項２】
請求項１に記載のプログラムであって、
前記第１情報は、ゲーム媒体の特性情報、及び前記ゲーム媒体の個数情報の少なくとも１つを含む、プログラム。
【請求項３】
請求項１または２に記載のプログラムであって、
前記第１情報と前記第２情報とを比較するステップにおいて、前記第１情報と前記第２情報との少なくとも一部が一致するか否かを判定する、プログラム。
【請求項４】
請求項１から３のいずれか一項に記載のプログラムであって、
前記所定のゲーム効果は、前記第１情報に応じて異なる、プログラム。
【請求項５】
請求項１から４のいずれか一項に記載のプログラムであって、
前記ゲーム媒体選択処理は、前記ユーザに関連付けられたパラメータを用いて実行され、
前記所定のゲーム効果は、前記ユーザに関連付けられるゲーム媒体に関する情報を変更する効果、及び前記ゲーム媒体選択処理に用いられる前記パラメータを変更する効果の少なくとも１つを含む、プログラム。
【請求項６】
請求項５に記載のプログラムであって、
前記ゲーム媒体選択処理に用いられる前記パラメータを変更する効果は、次回以降に前記ゲーム媒体選択処理が実行される際に発揮される、プログラム。
【請求項７】
請求項１から６のいずれか一項に記載のプログラムであって、
前記情報処理装置に、
前記所定のゲーム効果が発揮されると、または前記所定のゲーム効果が発揮されないまま所定期間が経過すると、前記所定のゲーム効果を発揮不可能にするステップ、
を更に実行させる、プログラム。
【請求項８】
表示部と、前記表示部に対するユーザ操作を受け付け可能な入力部と、記憶部と、ゲームを実行する制御部と、を備え、
前記制御部は、
ユーザ操作を受け付けるインターフェースを前記表示部に表示させ、
前記インターフェースによって受け付けられた前記ユーザ操作に基づきゲーム媒体に関する第１情報を前記記憶部に記憶し、
ゲーム媒体選択処理によって複数のゲーム媒体の中から選択され、ユーザに関連付けられるゲーム媒体に関する第２情報を前記記憶部に記憶し、
前記第１情報と前記第２情報とを比較し、
前記第１情報と前記第２情報との比較結果を前記表示部に表示させ、
前記第１情報と前記第２情報との比較に基づいて、前記ゲーム内で所定のゲーム効果を発揮可能にする、
情報処理装置。
【請求項９】
ゲームを実行する情報処理装置の制御方法であって、
ユーザ操作を受け付けるインターフェースを表示させるステップと、
前記インターフェースによって受け付けられた前記ユーザ操作に基づきゲーム媒体に関する第１情報を記憶するステップと、
ゲーム媒体選択処理によって複数のゲーム媒体の中から選択され、ユーザに関連付けられるゲーム媒体に関する第２情報を記憶するステップと、
前記第１情報と前記第２情報とを比較するステップと、
前記第１情報と前記第２情報との比較結果を表示させるステップと、
前記第１情報と前記第２情報との比較に基づいて、前記ゲーム内で所定のゲーム効果を発揮可能にするステップと、
を含む、制御方法。
【発明の詳細な説明】
【技術分野】
【０００１】
本開示は、プログラム、情報処理装置、及び制御方法に関する。
【０００２】
従来、ユーザがカード及びアイテム等のゲーム媒体を選択する抽選ゲームが知られている。例えば、特許文献１には、ユーザが使用するアイテムを抽選により提供する抽選ゲームが開示されている。
【先行技術文献】
【特許文献】
【０００３】
【特許文献１】特開２０１７−０１２９４０
【発明の概要】
【発明が解決しようとする課題】
【０００４】
従来、ユーザがゲーム媒体を選択するゲームにおいて、ゲームが単調なものとなることによって、ユーザがゲーム継続意欲を失う可能性があった。
【０００５】
かかる事情に鑑みてなされた本開示の目的は、ユーザがカード等のゲーム媒体を選択するゲームにおけるユーザのゲーム継続意欲を向上させるプログラム、情報処理装置、及び制御方法を提供することにある。
【課題を解決するための手段】
【０００６】
本発明の一実施形態に係るプログラムは、ゲームを実行する情報処理装置に、ユーザ操作を受け付けるインターフェースを表示させるステップと、前記インターフェースによって受け付けられた前記ユーザ操作に基づきゲーム媒体に関する第１情報を記憶するステップと、ゲーム媒体選択処理によって複数のゲーム媒体の中から選択され、ユーザに関連付けられるゲーム媒体に関する第２情報を記憶するステップと、前記第１情報と前記第２情報とを比較するステップと、前記第１情報と前記第２情報との比較結果を表示させるステップと、前記第１情報と前記第２情報との比較に基づいて、前記ゲーム内で所定のゲーム効果を発揮可能にするステップと、を実行させる。
【０００７】
本発明の一実施形態に係る情報処理装置は、表示部と、前記表示部に対するユーザ操作を受け付け可能な入力部と、記憶部と、ゲームを実行する制御部と、を備える。前記制御部は、ユーザ操作を受け付けるインターフェースを前記表示部に表示させ、前記インターフェースによって受け付けられた前記ユーザ操作に基づきゲーム媒体に関する第１情報を前記記憶部に記憶し、ゲーム媒体選択処理によって複数のゲーム媒体の中から選択され、ユーザに関連付けられるゲーム媒体に関する第２情報を前記記憶部に記憶し、前記第１情報と前記第２情報とを比較し、前記第１情報と前記第２情報との比較結果を前記表示部に表示させ、前記第１情報と前記第２情報との比較に基づいて、前記ゲーム内で所定のゲーム効果を発揮可能にする。
【０００８】
本発明の一実施形態に係る制御方法は、ゲームを実行する情報処理装置の制御方法である。前記制御方法は、ユーザ操作を受け付けるインターフェースを表示させるステップと、前記インターフェースによって受け付けられた前記ユーザ操作に基づきゲーム媒体に関する第１情報を記憶するステップと、ゲーム媒体選択処理によって複数のゲーム媒体の中から選択され、ユーザに関連付けられるゲーム媒体に関する第２情報を記憶するステップと、前記第１情報と前記第２情報とを比較するステップと、前記第１情報と前記第２情報との比較結果を表示させるステップと、前記第１情報と前記第２情報との比較に基づいて、前記ゲーム内で所定のゲーム効果を発揮可能にするステップと、を含む。
【発明の効果】
【０００９】
本発明の一実施形態に係るプログラム、情報処理装置、及び制御方法によれば、ユーザのゲーム継続意欲を向上させる。
【図面の簡単な説明】
【００１０】
【図１】本発明の一実施形態に係るゲームシステムのブロック図である。
【図２】ユーザに関する情報を示す図である。
【図３】ゲーム媒体に関する情報を示す図である。
【図４】ゲーム媒体選択処理に用いられる情報を示す図である。
【図５】ゲーム媒体に関する第１情報及び第２情報を示す図である。
【図６】端末装置における表示画面の例である。
【図７】端末装置の動作を示すフローチャートである。
【発明を実施するための形態】
【００１１】
以下、本開示の実施形態について、図面を参照して説明する。
【００１２】
（ゲームシステムの構成）
図１を参照して、本発明の一実施形態に係るゲームシステム１の概要について説明する。ゲームシステム１は、サーバ装置１０と、１つ以上の端末装置２０と、を備える。図１では簡便のため、３つの端末装置２０を図示しているが、端末装置２０の数は任意に定められてもよい。
【００１３】
サーバ装置１０は、例えばゲーム運営者が管理するサーバ等の情報処理装置である。端末装置２０は、例えば携帯電話、スマートフォン、タブレット端末、ＰＣ（Personal Computer）、又はゲーム装置等の、ユーザによって使用される情報処理装置である。端末装置２０は、本実施形態に係るゲームのアプリケーションを実行可能である。ゲームのアプリケーションは、例えばインターネット等のネットワーク３０を介して所定のアプリケーション配信サーバから端末装置２０に送信されてもよく、或いは端末装置２０に備えられた記憶装置又は端末装置２０が読取可能なメモリカード等の記憶媒体に予め記憶されていてもよい。サーバ装置１０及び端末装置２０は、ネットワーク３０を介して通信可能に接続される。
【００１４】
サーバ装置１０及び端末装置２０は、ゲームに関する多様な処理を協働して実行する。例えば、サーバ装置１０及び端末装置２０が、一連の処理を分担して実行してもよい。また、例えば、サーバ装置１０及び端末装置２０のそれぞれが同一の処理を実行してもよい。前述の処理について、サーバ装置１０と端末装置２０との間で処理結果が一致する場合、サーバ装置１０及び端末装置２０は、当該処理を完了してもよい。一方、サーバ装置１０と端末装置２０との間で処理結果が一致しない場合、サーバ装置１０及び端末装置２０は、例えばサーバ装置１０の処理結果を正として当該処理を完了してもよく、或いは当該処理の実行前にプロセスを巻き戻してもよい。かかる構成によれば、例えばサーバ装置１０及び端末装置２０の間の通信品質が一時的に低下した場合であっても、直ちに処理が中断される蓋然性が低下する。また、端末装置２０において、例えばパラメータの書き換え等の不正処理が行われた場合であっても、当該不正処理を排除できる蓋然性が向上する。
【００１５】
（ゲームの概要）
本実施形態に係るゲームの概要について説明する。本実施形態に係るゲームは、１つ以上のゲームパートを含む。当該ゲームパートのうち少なくとも１つのゲームパートは、ゲーム媒体を用いて実行されてもよい。ゲームパートの実行中、ゲーム媒体は、例えばユーザによって操作されてもよい。
【００１６】
ゲーム媒体は、ゲームに使用される電子データであり、例えば、カード、アイテム、仮想通貨、チケット、キャラクタ、アバタ、レベル情報、ステータス情報、パラメータ情報（体力値や攻撃力など）、及び能力情報（スキル、アビリティ、呪文、ジョブなど）等、任意の媒体を含む。また、ゲーム媒体は、ユーザによってゲーム内で取得、所有、使用、管理、交換、合成、強化、売却、廃棄、又は贈与等され得る電子データであるが、ゲーム媒体の利用態様は本明細書で明示されるものに限られない。
【００１７】
以下、特に明示した場合を除き、「ユーザが所有するゲーム媒体」とは、当該ユーザを一意に識別可能なユーザＩＤに所有ゲーム媒体として関連付けられたゲーム媒体を示す。また、「ゲーム媒体をユーザに付与する」とは、ゲーム媒体を所有ゲーム媒体としてユーザＩＤに関連付けることを示す。また、「ユーザが所有するゲーム媒体を破棄する」とは、ユーザＩＤと所有ゲーム媒体との関連付けを解消することを示す。また、「ユーザが所有するゲーム媒体を消費する」とは、ユーザＩＤと所有ゲーム媒体との関連付けの解消に応じて、何らかの効果又は影響をゲーム内で発生させ得ることを示す。また、「ユーザが所有するゲーム媒体を売却する」とは、ユーザＩＤと所有ゲーム媒体との関連付けを解消し、且つ、ユーザＩＤに他のゲーム媒体（例えば、仮想通貨又はアイテム等）を所有ゲーム媒体として関連付けることを示す。また、「ユーザＡが所有するゲーム媒体をユーザＢに譲渡する」とは、ユーザＡのユーザＩＤと所有ゲーム媒体との関連付けを解消し、且つ、ユーザＢのユーザＩＤに当該ゲーム媒体を所有ゲーム媒体として関連付けることを示す。また、「ゲーム媒体を作成する」とは、ゲーム媒体に関する情報の少なくとも一部を定義又は決定することを示す。
【００１８】
ゲームパートは、ゲーム内でユーザがプレイ可能なコンテンツであって、例えばクエスト、ミッション、ミニゲーム、ゲーム媒体の入手、育成、強化、及び合成、仮想空間の探索、並びに対戦相手（例えば、他のユーザ、敵キャラクタ、及び敵の建物等）との対戦等を含む。各ゲームパートには、１つ以上の所定のゲーム課題が設定されてもよい。ユーザによってプレイされるゲームパートに設定された１つ以上のゲーム課題の達成に成功したと判定された場合、ユーザに対して、例えばゲーム媒体等が報酬として付与されてもよい。ゲーム課題には、例えば敵キャラクタとの対戦に勝利するとの課題、仮想空間内のゴール地点まで到達するとの課題、及び所定時間が経過するまでユーザのキャラクタが所定の状態（例えば、行動不能の状態）にならないとの課題等、ゲームパートの内容に応じた任意の課題が採用可能である。また、ゲームパートに設定された１つ以上のゲーム課題のうち、特定のゲーム課題（クリア課題）が達成されることを、ゲームパートのクリアともいう。ゲームパートをプレイするユーザがクリア課題の達成に成功した場合、当該ゲームパートのクリアと判定され、当該ゲームパートが終了してもよい。
【００１９】
本実施形態に係るゲームには、複数のゲーム媒体の中からユーザに関連付けられるゲーム媒体を選択するゲーム媒体選択処理が行われるゲームパートが含まれていてもよい。ゲーム媒体選択処理が行われるゲームパートとして、例えば、抽選ゲームパートが挙げられる。抽選ゲームパートは、ユーザがチケット及び仮想通貨等を消費して要求することで実施されてもよい。その後、消費されたチケット及び仮想通貨等に応じてゲーム媒体選択処理が実行され、選択されたカード及びアイテム等のゲーム媒体が抽選の結果としてユーザに関連付けられてもよい。また、ゲーム媒体選択処理が行われるゲームパートは、抽選ゲームパートに限られない。例えば、クエストを行うゲームパート又は敵との対戦を行うゲームパート等、抽選ゲームパート以外のゲームパートにおいて、ゲーム媒体選択処理が実施されてもよい。例えば、ゲーム媒体選択処理によって選択されたゲーム媒体は、クエストを完了する、或いは敵を倒す等の所定の条件をクリアした際にユーザに関連付けられてもよい。ここで、ゲーム媒体選択処理におけるゲーム媒体の選択方法は、確率に基づき選択することに限られず、任意に定められてもよい。例えば、ゲーム媒体に関連付けられた所定の選択確率に基づいて複数のゲーム媒体からゲーム媒体を選択する選定方法が用いられてもよい。また、各ゲーム媒体に予め定められた順番に従って複数のゲーム媒体からゲーム媒体を選択する方法が用いられてもよい。ゲーム媒体選択処理は、サーバ装置１０によって実施されてもよく、或いは端末装置２０によって実施されてもよい。さらに、ゲーム媒体選択処理は、サーバ装置１０及び端末装置２０によって協働して実行されてもよい。また、ゲーム媒体選択処理は１回又は複数回実行されてもよい。ユーザは、付与されたゲーム媒体を用いて、他のゲームパートをプレイすることができる。
【００２０】
（サーバ装置の構成）
サーバ装置１０の構成について具体的に説明する。サーバ装置１０は、サーバ通信部１１と、サーバ記憶部１２と、サーバ制御部１３と、を備える。
【００２１】
サーバ通信部１１は、外部装置と無線又は有線によって通信し、情報の送受信を行うインターフェースを備える。サーバ通信部１１は、例えば無線ＬＡＮ（Local Area Network）通信モジュール又は有線ＬＡＮ通信モジュール等を備えてもよい。サーバ通信部１１は、ネットワーク３０を介して、端末装置２０との間で情報を送受信可能である。
【００２２】
サーバ記憶部１２は、例えば半導体メモリ、磁気メモリ、又は光メモリ等を備える。サーバ記憶部１２は、例えば一次記憶装置又は二次記憶装置として機能してもよい。サーバ記憶部１２は、ゲームの実行に用いられる情報及びプログラムを記憶する。サーバ記憶部１２に記憶された情報及びプログラムの少なくとも一部が、端末装置２０との間で共有及び同期されてもよい。以下、サーバ記憶部１２が記憶する情報の例について説明する。
【００２３】
（ユーザに関する情報）
図２を参照して、ユーザに関する情報について説明する。ユーザに関する情報は、ユーザがゲームを操作するための情報であって、ユーザごとに作成され得る。例えば、ユーザに関する情報は、ユーザを一意に識別可能な識別情報であるユーザＩＤと、ユーザＩＤに関連付けられユーザの特性を示す特性情報と、を含む。本明細書においては、ユーザＩＤを、単にユーザともいう。特性情報は、例えば、ユーザ名、ランク、所有ゲーム媒体情報、及びゲームパラメータを含む。特性情報の内容は、前述した例に限られない。特性情報は、ユーザの特性を示す任意の情報を含んでもよい。特性情報はユーザ操作に基づき更新されてもよく、或いはゲームシステムによって自動的に更新されてもよい。
【００２４】
本実施形態において、ユーザ名は、ユーザの名称を示す情報である。ランクは、ゲームに関するユーザの熟練度を示す情報である。例えば、ランクが高いほど、ゲームに関するユーザの熟練度が高い。ランクの値は、ユーザによるゲームのプレイに応じて増加してもよい。所有ゲーム媒体情報は、ユーザがゲーム内で所有するゲーム媒体を特定するための情報を含む。所有ゲーム媒体情報として、例えば、後述するゲーム媒体ＩＤ等が用いられる。ゲーム媒体がユーザに付与された場合、当該ゲーム媒体は、所有ゲーム媒体としてユーザに関連付けられる。ゲームパラメータは、ユーザがゲームをプレイする際に用いられるパラメータである。ゲームパラメータには、例えば、抽選ゲームパートにおいて、１度に付与されるゲーム媒体の数に関する情報、及びゲーム媒体の選択確率に関する情報等が含まれる。
【００２５】
（ゲーム媒体に関する情報）
図３を参照して、ゲーム媒体に関する情報について説明する。例えば、ゲーム媒体に関する情報は、ゲーム媒体を一意に識別可能な識別情報であるゲーム媒体ＩＤと、ゲーム媒体ＩＤに関連付けられゲーム媒体の特性を示す特性情報と、を含む。特性情報は、例えば、ゲーム媒体名、レアリティ、レベル、使用可能回数を含む。特性情報の内容は、前述した例に限られない。特性情報は、ゲーム媒体の特性を示す任意の情報を含んでもよい。特性情報はユーザ操作に基づき更新されてもよく、或いはゲームシステムによって自動的に更新されてもよい。
【００２６】
本実施形態において、ゲーム媒体名は、ゲーム媒体の名称を示す情報である。レベルは、ゲーム媒体の成長度を示す情報である。例えば、レベルの値が大きいほど、ゲーム媒体の成長度が大きい。レベルの値は、ユーザによるゲームのプレイに応じて増加してもよい。使用可能回数は、ゲームにおいてゲーム媒体を使用できる回数を示す情報である。例えば、使用可能回数は、ゲーム媒体を使用するたびに１ずつ減少し、使用可能回数が０になると、利用することができなくなるとしてもよい。
【００２７】
（ゲーム媒体選択処理に用いられる情報）
図４を参照して、ゲーム媒体選択処理に用いられる情報について説明する。例えば、ゲーム媒体選択処理に用いられる情報は、前述のゲーム媒体に関する情報に含まれるゲーム媒体ＩＤと、ゲーム媒体ＩＤに関連付けられる選択確率、及び選択順番を含む。当該情報に含まれるゲーム媒体ＩＤの数と、それぞれのゲーム媒体ＩＤに関連付けられる選択確率、及び選択順番は、例えば、図４に記載されたように、前述のユーザに関する情報に含まれるゲームパラメータに応じて、変更されてもよい。また、当該情報の内容は、前述した例に限られない。当該情報は、ゲーム媒体選択処理に用いられる任意の情報を含んでもよい。ゲーム媒体選択処理は、ゲーム媒体ＩＤに関連付けられた所定の選択確率に基づいて複数のゲーム媒体からゲーム媒体を選択することができる。また、ゲーム媒体選択処理は、ゲーム媒体ＩＤに関連付けられた所定の選択順番に従って複数のゲーム媒体からゲーム媒体を選択することができる。なお、ゲーム媒体選択処理において選択の対象とする複数のゲーム媒体の数は有限としてもよく、一度選択されたゲーム媒体は次回以降のゲーム媒体選択処理の対象外としてもよい。かかる構成によれば、１０個のゲーム媒体を対象とした場合、ゲーム媒体選択処理が１回実行され、ゲーム媒体が選択されると、次回のゲーム媒体選択処理は選択されたゲーム媒体を除く９個のゲーム媒体を対象に実施される。この場合、対象となるゲーム媒体が０になると、ゲーム媒体選択処理は実施不可能とされてもよい。
【００２８】
（ゲーム媒体に関する第１情報及び第２情報）
図５を参照して、ゲーム媒体に関する第１情報及び第２情報について説明する。ゲーム媒体に関する第１情報は、ユーザ操作に基づいて設定されるゲーム媒体に関する情報である。また、ゲーム媒体に関する第２情報はゲーム媒体選択処理によって複数のゲーム媒体の中から選択され、ユーザに関連付けられるゲーム媒体に関する情報である。本実施形態において用いられる第１情報及び第２情報は、後述する端末制御部２５による比較のための情報を含んでいればよく、必ずしも、ゲーム媒体に関する情報の全てを含む必要はない。また、第１情報及び第２情報は、ゲーム媒体に関する情報以外の情報を含んでもよい。例えば、第１情報は、ゲーム媒体名、及びレアリティ等のゲーム媒体の特性情報と、ゲーム媒体の個数情報との少なくとも１つを含んでもよい。第１情報の例をそれぞれ図５の１−１〜１−３に示す。例えば、図５の１−１のように、レアリティのみ情報が設定されてもよい。また、１−２及び１−３のように、ゲーム媒体名及びレアリティ、或いは、レアリティ及び個数情報といったようにゲーム媒体に関する複数の情報が設定されてもよい。また、第２情報は、ゲーム媒体の識別情報であるゲーム媒体ＩＤと、ゲーム媒体名、レアリティ、及びレベル等のゲーム媒体の特性情報と、を含んでもよい。第２情報の例をそれぞれ図５の２−１から２−５に示す。第２情報は、ゲーム媒体選択処理によって選択されたユーザに関連付けられるゲーム媒体の数に応じて、２−１から２−５のうち、複数のゲーム媒体に関する情報を含んでもよい。例えば、ユーザに関連付けられるゲーム媒体の数が１の場合には、第２情報は２−１のみを含んでもよい。また、ユーザに関連付けられるゲーム媒体の数が５の場合には、第２情報は２−１から２−５の全てを含んでもよい。これらの情報は説明のために例示したものであって、第１情報及び第２情報は、前述した例に限られず、任意の情報を含んでもよい。例えば、第１情報は、ゲーム媒体の特性情報、あるいはゲーム媒体の個数情報の一方のみを含んでもよいし、ゲーム媒体の画像等、ゲーム媒体の特性情報及びゲーム媒体の個数情報以外の情報を含んでもよい。同様に、第２情報も、例示したゲーム媒体の特性情報の一部のみを含んでもよいし、前述の使用可能回数、及び選択確率等のゲーム媒体の特性情報を更に含んでもよい。
【００２９】
図１に示すサーバ制御部１３は、１つ以上のプロセッサを含む。プロセッサは、汎用のプロセッサ、及び特定の処理に特化した専用プロセッサを含んでもよい。サーバ制御部１３は、サーバ装置１０全体の動作を制御する。以下、サーバ制御部１３の動作の例について具体的に説明する。
【００３０】
サーバ制御部１３は、ゲームの処理に用いられる情報及びプログラムを、サーバ記憶部１２に記憶する。
【００３１】
サーバ制御部１３は、サーバ通信部１１を介して情報の送受信を行う。例えば、サーバ制御部１３は、サーバ記憶部１２に記憶された情報の少なくとも一部を端末装置２０へ送信してもよい。このようにして、サーバ記憶部１２に記憶された情報と端末装置２０に記憶された情報が共有及び同期される。情報の共有及び同期を行うタイミングは、例えばサーバ記憶部１２に新たな情報が記憶されたタイミング、及びサーバ記憶部１２に記憶された情報が更新されたタイミングを含み得るが、任意に定められてもよい。また例えば、サーバ制御部１３は、端末装置２０において入力又は決定された任意の情報を、サーバ通信部１１を介して取得してもよい。当該情報は、例えば、ユーザ操作によって入力された情報を含んでもよい。
【００３２】
サーバ制御部１３は、端末装置２０と協働して、ゲームを実行する。例えば、サーバ制御部１３は、１つ以上の端末装置２０と協働して、ゲームパートを実行する。ゲームパートを実行するサーバ装置１０及び端末装置２０の動作の詳細については後述する。
【００３３】
（端末装置の構成）
端末装置２０の構成について具体的に説明する。図１に示すように、端末装置２０は、端末通信部２１、端末記憶部２２、表示部２３、入力部２４、及び、端末制御部２５を備える。
【００３４】
端末通信部２１は、外部装置と無線又は有線によって通信し、情報の送受信を行うインターフェースを備える。端末通信部２１は、例えばＬＴＥ（Long Term Evolution）（登録商標）等のモバイル通信規格に対応する無線通信モジュール、無線ＬＡＮ通信モジュール、又は有線ＬＡＮ通信モジュール等を備えてもよい。端末通信部２１は、ネットワーク３０を介して、サーバ装置１０との間で情報を送受信可能である。
【００３５】
端末記憶部２２は、例えば半導体メモリ、磁気メモリ、又は光メモリ等を含む。端末記憶部２２は、例えば一次記憶装置又は二次記憶装置として機能してもよい。端末記憶部２２は、端末装置２０に内蔵されてもよく、或いは任意のインターフェースを介して端末装置２０に接続されてもよい。端末記憶部２２は、ゲームの処理に用いられる情報及びプログラムを記憶する。例えば、端末記憶部２２は、所定のアプリケーション配信サーバから取得された、ゲームのアプリケーションプログラムを記憶してもよい。以下、アプリケーションプログラムを、単にアプリケーションともいう。端末記憶部２２は、サーバ装置１０から取得した、ユーザに関する情報、ゲーム媒体に関する情報、ゲーム媒体選択処理に用いられる情報、及びゲーム媒体に関する第１情報及び第２情報の一部又は全部を記憶してもよい。
【００３６】
表示部２３は、例えば液晶ディスプレイ又は有機ＥＬディスプレイ等の表示デバイスを含む。表示部２３は、多様な画面を表示可能である。
【００３７】
入力部２４は、例えばマウス等のポインティングデバイス、物理キー、及び表示部２３と一体的に設けられたタッチパネル等の入力デバイスを含む。入力部２４は、ユーザによってこれらの入力デバイスが操作されると、そのユーザ操作をインターフェースへの入力として受け付けることができる。例えば、インターフェースには、画面上に表示されるＧＵＩ（Graphic User Interface）等が含まれる。ユーザは、表示部２３に表示されたインターフェースの内容を見ながら、入力部２４を操作することができる。
【００３８】
端末制御部２５は、１つ以上のプロセッサを含む。端末制御部２５は、端末装置２０全体の動作を制御する。以下、端末制御部２５の動作の例について具体的に説明する。
【００３９】
端末制御部２５は、端末通信部２１を介して情報の送受信を行う。例えば端末制御部２５は、ゲームの処理に用いられる情報及びプログラムを取得する。具体的には、端末制御部２５は、ゲームのアプリケーションを所定のアプリケーション配信サーバから取得してもよい。端末制御部２５は、ゲーム媒体に関する情報の一部又は全部をサーバ装置１０から取得してもよい。
【００４０】
端末制御部２５は、ユーザ操作に応じてゲームのアプリケーションを起動する。端末制御部２５は、サーバ装置１０と協働して、ゲームを実行する。例えば、端末制御部２５は、ゲームに用いられる画面を表示部２３に表示させる。画面上には、例えばユーザ操作を受け付けるＧＵＩが表示されてもよい。端末制御部２５は、入力部２４を介して、画面に対するユーザ操作を受け付けることができる。
【００４１】
（ゲームパートの処理）
ゲームパートを協働して実行するサーバ装置１０及び端末装置２０の動作について、具体的に説明する。ここでは、サーバ装置１０及び端末装置２０がそれぞれ同一の処理を実行し、サーバ装置１０が、サーバ装置１０の処理結果及び端末装置２０の処理結果を比較する構成について説明する。説明の簡便のため、端末装置２０の動作について説明し、端末装置２０と同一の処理を実行するサーバ装置１０の動作については説明を省略する。
【００４２】
端末制御部２５は、ユーザ操作を受け付けるインターフェースを表示部２３に表示させる。これにより、ユーザは表示されたインターフェースに従って、入力部２４からゲーム媒体に関する第１情報を入力することができる。表示部２３に表示されたインターフェースの詳細については、具体例を用いて、後述する。
【００４３】
端末制御部２５は、インターフェースによって受け付けられたユーザ操作に基づきゲーム媒体に関する第１情報を記憶する。必ずしも第１情報に含まれる情報の全てが、ユーザ操作に基づき設定される必要はない。例えば、端末制御部２５は、予めインターフェースに第１情報の一部を設定した上で表示部２３に表示させ、残りの部分をユーザ操作に基づき設定し、第１情報として端末記憶部２２に記憶してもよい。また、端末制御部２５は、ユーザインターフェースに第１情報以外のゲーム媒体に関する情報を表示させてもよい。例えば、端末制御部２５は、ユーザインターフェースにゲーム媒体の画像を設定した上で表示部２３に表示させ、ユーザ操作に基づき、選択された画像に対応する第１情報を特定し、第１情報として端末記憶部２２に記憶してもよい。
【００４４】
サーバ制御部１３は、ゲーム媒体選択処理よって、複数のゲーム媒体の中からユーザに関連付けられるゲーム媒体を選択する。例えば、サーバ制御部１３は、ゲーム媒体に関連付けられた所定の選択確率に基づいて複数のゲーム媒体からユーザに関連付けられるゲーム媒体を選択してもよい。また、サーバ制御部１３は、ゲーム媒体選択処理を実行する際に、ユーザのゲームパラメータを参照してもよい。例えば、図４に示すように、ユーザのゲームパラメータがＡの場合と、ゲームパラメータがＢの場合とにおいて、ゲーム媒体選択処理に用いる情報を変更してもよい。例えば、ユーザのゲームパラメータＢの場合、サーバ制御部１３は、ゲーム媒体ＩＤがそれぞれＣ０１及びＣ０２のゲーム媒体の中からそれぞれ５０％の選択確率でユーザに関連付けられるゲーム媒体を選択する。ユーザに関連付けられるゲーム媒体の数は任意としてよい。抽選ゲームにおけるゲーム媒体選択処理のように、同一の条件であっても実行されるたびに処理結果が異なる処理がある。このような場合には、サーバ装置１０または端末装置２０の一方のみで処理が実行されてもよい。ここでは、ゲーム媒体選択処理はサーバ装置１０のみで実行される。
【００４５】
端末制御部２５は、ゲーム媒体選択処理によって複数のゲーム媒体の中から選択され、ユーザに関連付けられるゲーム媒体に関する第２情報を記憶する。例えば、ゲーム媒体選択処理がサーバ制御部１３にて実行された場合、ゲーム媒体に関する第２情報は、サーバ通信部１１からネットワーク３０を介して端末通信部２１に送信される。端末制御部２５は、受信したゲーム媒体に関する第２情報を端末記憶部２２に記憶する。一方、ゲーム媒体選択処理が端末制御部２５にて実行された場合、端末制御部２５は、ゲーム媒体選択処理により算出したゲーム媒体に関する第２情報を端末記憶部２２に記憶する。
【００４６】
端末制御部２５は、ゲーム媒体に関する第１情報と第２情報とを比較する。第１情報と第２情報との比較は、第１情報と第２情報との少なくとも一部が一致するかに基づいて判定されてもよい。具体的には、端末制御部２５は、第１情報に設定されたゲーム媒体の特性情報及びゲーム媒体の個数情報ごとに第２情報に一致する情報の有無を判定してもよい。例えば、図５を参照して、第１情報１−１と第２情報２−１とを比較する場合、端末制御部２５は、第１情報１−１の一部であるレアリティと第２情報２−１の一部であるレアリティとの一致に基づいて判定してもよい。端末制御部２５は、１−１及び２−１のレアリティが等しいので、一致と判定する。一方で、第１情報１−２と第２情報２−２を比較する場合、端末制御部２５は、第１情報１−２の一部であるゲーム媒体名及びレアリティと第２情報２−２の一部であるゲーム媒体及びレアリティとの一致に基づいて判定してもよい。端末制御部２５は、１−２及び２−２のゲーム媒体名は等しいがレアリティが等しくないため、不一致と判定する。さらに、第１情報１−３と第２情報２−１〜２−５を比較する場合、端末制御部２５は、第１情報１−３の一部であるレアリティ及び個数情報と第２情報２−１の一部であるレアリティとの一致に基づいて判定してもよい。端末制御部２５は、２−１から２−５に含まれるレアリティがレアであるゲーム媒体の個数が３のため、一致と判定する。端末制御部２５は、第１情報と第２情報との少なくとも一部が一致するかの判定において、第１情報と第２情報とで一致する特性情報の数、或いはその特性情報を持つ第２情報のゲーム媒体ＩＤの数をカウントしたスコアをもとに判定を行ってもよい。また、端末制御部２５は、一致した特性情報毎（レアリティが一致した場合の重みは３、ゲーム媒体名が一致した場合の重みは１とするなど）、または特性情報の特性毎（レアリティがスーパーレアで一致した場合の重みは６、レアで一致した場合の重みは４とするなど）に異なる重みづけを行ったうえで、重みを足し合わせたスコアをもとに判定を行ってもよい。端末制御部２５は、第１情報と第２情報とで一致した特性情報、及びスコア等を、比較結果として端末記憶部２２に記憶する。第１情報と第２情報との比較方法は、例示であり、本明細書で明示されるものに限られない。第１情報と第２情報との比較方法は、任意に定められてもよい。
【００４７】
端末制御部２５は、第１情報と第２情報との比較結果を表示部２３に表示させ、ユーザに通知する。ここで、端末制御部２５は、比較結果に応じて、表示部２３における表示方法及び演出を変更してもよい。例えば、端末制御部２５は、第１情報と第２情報との一致した内容に応じて、追加の画面を表示させ、或いは所定の動画を再生してもよい。また、端末制御部２５は、比較に応じて、比較結果と併せて、ゲーム内で発揮可能にされるゲーム効果の内容を表示させてもよい。表示部２３に表示された比較結果については、具体例を用いて、後述する。
【００４８】
端末制御部２５は、第１情報と第２情報との比較に基づいて、ゲーム内で所定のゲーム効果を発揮可能にする。ここで、ゲーム効果とは、ユーザがプレイするゲームに任意の影響を与えることである。ゲーム効果は、例えば、ユーザに関する情報に関連付けられるゲーム媒体に関する情報を変更する効果、及びゲーム媒体選択処理に用いられるユーザに関連付けられたパラメータを変更する効果の少なくとも１つを含んでもよい。ゲーム効果は、前述の一致した特性情報、及びスコア等によって比較結果と対応付けが可能なように端末記憶部２２に記憶されていてもよい。端末制御部２５は、比較結果と対応付けられたゲーム効果が発揮可能となるように、端末記憶部２２に記憶されているユーザに関する情報、またはユーザに関連付けられるゲーム媒体に関する情報を更新する。例えば、端末制御部２５は、ユーザに関する情報に含まれる所有ゲーム媒体情報を編集し、新たなゲーム媒体をユーザに追加で付与する効果を発揮可能にしてもよい。また、端末制御部２５は、ユーザに関する情報に含まれるゲームパラメータの情報を編集し、ゲーム媒体選択処理が当該ユーザにより次に要求された際に、ユーザに関連付けるゲーム媒体の数を増やす効果を発揮可能にしてもよい。さらに、端末制御部２５は、ユーザに関連付けられるゲーム媒体に関する情報に含まれる特性情報を編集し、ユーザに付与されるゲーム媒体の特性情報を変更した上でユーザに付与する効果を発揮可能にしてもよい。
【００４９】
端末制御部２５は、第１情報に応じて異なるゲーム効果を発揮可能にしてもよい。また、端末制御部２５は、一致した特性情報、及びスコアに応じて異なるゲーム効果を発揮可能にしてもよい。例えば、レアリティが一致した場合、端末制御部２５は、一致したゲーム媒体のレアリティを上昇させる効果を発揮可能としてもよい。一方で、ゲーム媒体名が一致した場合、端末制御部２５は、レアリティが一致した場合とは異なり、一致したゲーム媒体のレベルを上昇させる効果を発揮可能にしてもよい。また、ゲーム媒体名が一致した場合においても、端末制御部２５は、スコアに応じて、上昇させるレベルを変更してもよい。さらに、一度に発揮可能にされるゲーム効果は複数あってもよい。一度に複数のゲーム効果が発揮可能とされる場合、それぞれが単独で発揮可能とされる場合とは異なるゲーム効果が発揮可能とされてもよい。例えば、端末制御部２５は、ゲーム媒体名及びレアリティの両方が一致した場合、前述のとおりゲーム媒体名、またはレアリティが個別に一致した場合に発揮されるゲーム効果に加えて、更に別のゲーム効果を発揮可能にしてもよい。また、端末制御部２５は、発揮可能にされたゲーム効果に有効期間等の所定期間が設定されていれば、所定期間の管理を開始する。
【００５０】
端末制御部２５は、所定のゲーム効果が発揮されると、または所定のゲーム効果が発揮されないまま所定期間が経過すると、所定のゲーム効果を発揮不可能にする。端末制御部２５は、発揮可能にしたゲーム効果が発揮されたか、または、発揮されないまま所定期間が経過したかを判定する。ゲーム効果の発揮は、例えば、発揮可能にされると同時に自動的に発揮されるものであってもよいし、ユーザ操作により明示的に選択させることで発揮されるものであってもよい。また、ゲーム効果の発揮は、制限回数を設けて、制限回数だけ発揮されたか、または、全てが発揮されないまま所定期間を経過したかを判定されてもよい。所定期間は、例えば、発揮可能にされてから３０分間というように、開始時点及び期間で設定されてもよい。また、所定期間は、本日から月末までというように、開始時点及び終了時点で設定されてもよい。対象となるゲーム効果が発揮されず、まだ所定期間も経過していない場合、端末制御部２５は、一定期間経過後に、再度、本判定を実行してもよい。ここで、端末制御部２５は、ゲーム効果が発揮されたか、または、発揮されないまま所定期間が経過したかの判定を、発揮可能にしたゲーム効果ごとに個別に行ってよい。また、端末制御部２５は、本判定を、発揮可能にした複数のゲーム効果に対して一括で行ってもよい。
【００５１】
本実施形態における端末装置２０の動作の一例を、図５及び図６を用いて説明する。図６は端末装置２０において表示部２３及び入力部２４が一体的に設けられた表示画面の例である。図６の６Ａにおいて、ユーザは、端末装置２０の入力部２４からゲームパートを選択する。端末装置２０は「抽選ゲームパートＡ：カードの特性を予測してカードを１枚抽選」及び「抽選ゲームパートＢ：レアカードの枚数を予測してカードを５枚抽選」というような複数のゲームパートを提示してもよい。例えば、ユーザが「カードの特性を予測してカードを１枚抽選」を選択すると、図６の６Ｂのようなユーザ操作を受け付けるインターフェースを含む画面が表示される。６Ｂにおいて、ユーザはゲーム媒体に関する第１情報を入力して、ゲーム媒体選択処理の開始要求を行う。ユーザは、例えば、ゲーム媒体の特性情報のうちレアリティがスーパーレアであるというように第１情報を設定することができる（図５の１−１）。また、図６の６Ａにおいて、ユーザは「レアカードの枚数を予測してカードを５枚抽選」を選択することもできる。これにより６Ｄにおいて、ユーザは、レアリティがレアであるゲーム媒体の個数が３というように、表示されたインターフェースを介して個数情報を設定することができる。端末制御部２５は、予め設定されている「レアリティがレア」というゲーム媒体の特性情報と入力された「３枚」という個数情報とを組み合わせて、第１情報として、記憶する（図５の１−３）。
【００５２】
端末制御部２５は、ゲーム媒体に関する第１情報を記憶すると本処理を開始する。次に、端末制御部２５は、ゲーム媒体選択処理の結果として、ユーザに関連付けられるゲーム媒体に関する第２情報を記憶する。第２情報は、実施されるゲーム媒体選択処理に応じて、複数のゲーム媒体に関する情報を含んでもよい。例えば、ユーザが抽選ゲームパートＡを選択した場合には、図５の２−１の１枚のゲーム媒体が第２情報として設定されてもよい。また、ユーザが抽選ゲームパートＢを選択した場合には、図５の２−１から２−５の５枚のゲーム媒体が第２情報として設定されてもよい。端末制御部２５は、ユーザ操作に基づき入力されたゲーム媒体の第１情報と第２情報との一致を判定する。もし、第１情報と第２情報とを比較し、一致するものがなければ、端末制御部２５は、処理結果を表示部２３に表示させ、本処理を終了する。図５の例において、抽選ゲームパートＡのゲーム媒体選択処理の結果として、１−１に示した第１情報に対し、２−１に示した第２情報を受信した場合、端末制御部２５は、２−１が１−１の条件に一致すると判定する。端末制御部２５は、例えば、所定のゲーム効果として、「ユーザに関連付けられるカード媒体のレベルを１から２０にする」といったユーザに関連付けられるゲーム媒体の特性情報を変更する効果を発揮可能にすると同時に発揮させる。結果として、レベル２０のゲーム媒体がユーザに付与される。端末制御部２５は、図６の６Ｃのように処理結果及びゲーム効果の内容を表示部２３に表示させる。同様に、図５の例において、抽選ゲームパートＢのゲーム媒体選択処理の結果として、１−３に示した第１情報に対し、２−１から２−５に示した第２情報を受信した場合、端末制御部２５は、第２情報に２−２、２−４、及び２−５が含まれるために１−３の条件に一致すると判定する。端末制御部２５は、例えば、所定のゲーム効果として、「３０分以内に抽選ゲームをするとユーザに関連付けられるカード媒体の枚数を１枚増やす」といったゲーム媒体選択処理に用いられるユーザに関連付けられたゲームパラメータを変更する効果を発揮可能にし、図６の６Ｅのように処理結果及びゲーム効果の内容を表示部２３に表示させる。その後、端末制御部２５は、発揮可能にしたゲーム効果が発揮されたか、または、発揮されないまま所定期間か経過したかを判定する。例えば、３０分間、ゲーム媒体選択処理の要求が行われなかったような場合には、端末制御部２５は、ゲーム効果を発揮不可能にし、本処理を終了する。
【００５３】
（端末装置の動作例）
図７を参照して、本発明の一実施形態に係る端末装置２０の動作の例を説明する。
【００５４】
ステップＳ１０１：端末制御部２５は、ユーザ操作を受け付けるインターフェースを表示させる。
【００５５】
ステップＳ１０２：端末制御部２５は、ユーザ操作に基づき入力されたゲーム媒体に関する第１情報を記憶する。
【００５６】
ステップＳ１０３：端末制御部２５は、ゲーム媒体選択処理によって選択され、ユーザに関連付けられるゲーム媒体に関する第２情報を記憶する。
【００５７】
ステップＳ１０４：端末制御部２５は、ゲーム媒体に関する第１情報と第２情報とを比較し、少なくとも一部が一致するかを判定する。
【００５８】
ステップＳ１０５：第１情報と第２情報が一致する場合（ステップＳ１０４−Ｙｅｓ）、端末制御部２５は、第１情報と第２情報との比較結果を表示部２３に表示させ、ユーザに通知する。
【００５９】
ステップＳ１０６：端末制御部２５は、第１情報と第２情報の比較に応じて、異なるゲーム内で所定のゲーム効果を発揮可能にする。端末制御部２５は、発揮可能にされたゲーム効果に所定期間が設定されていれば、所定期間の管理を開始する。
【００６０】
ステップＳ１０７：端末制御部２５は、発揮可能にしたゲーム効果が発揮されたか、または、発揮されないまま所定期間か経過したかを判定する。対象となるゲーム効果が発揮されず、所定期間も経過していない場合（ステップＳ１０７−Ｎｏ）、端末制御部２５は、一定期間待機し、再度、本ステップを実行してもよい。
【００６１】
ステップＳ１０８：対象となるゲーム効果が発揮された、または、発揮されないまま所定期間が経過した場合（ステップＳ１０７−Ｙｅｓ）、端末制御部２５は、そのゲーム効果を発揮不可能にし、本処理を終了する。
【００６２】
ステップＳ１０９：第１情報と第２情報が一致しない場合（ステップＳ１０４−Ｎｏ）、端末制御部２５は、表示部２３を介して、第１情報と第２情報との比較結果をユーザに通知し、本処理を終了する。
【００６３】
以上述べたように、本実施形態に係る端末装置２０は、ユーザ操作を受け付けるインターフェースを表示させる。端末装置２０は、インターフェースによって受け付けられたユーザ操作に基づき、ゲーム媒体に関する第１情報を記憶する。端末装置２０は、ゲーム媒体選択処理によって複数のゲーム媒体の中から選択され、ユーザに関連付けられるゲーム媒体に関する第２情報を記憶する。さらに、端末装置２０は、第１情報と第２情報とを比較する。端末装置２０は、第１情報と第２情報との比較結果を表示させる。端末装置２０は、第１情報と第２情報との比較に基づいて、ゲーム内で所定のゲーム効果を発揮可能にする。このように、抽選ゲーム等のゲーム媒体選択処理が行われるゲームにおいて、ユーザ操作により入力を受け付けることによってユーザの関与を増やし、ユーザの入力に応じたゲームを単調なものにさせないことによって、ユーザのゲーム継続意欲が向上する。また、ユーザの選択処理、及び情報の比較処理等を加えることによって、必要に応じてゲーム媒体選択処理を個別に作成することに比べて、処理に係るデータ量、及び処理負荷の大幅な増加を招くことなく、ユーザのゲーム媒体選択処理を多様化することができる。
【００６４】
本実施形態に係る端末装置２０は、ユーザ操作に基づき、ゲーム媒体名、レアリティ、レベル、コスト、使用可能回数、及び選択確率等のゲーム媒体の特性情報、及び、ゲーム媒体の個数情報の少なくとも１つを含む、ゲーム媒体に関する第１情報を受け付ける。このように、抽選ゲーム等のゲーム媒体選択処理との比較対象として、ユーザに第１情報として入力させる組み合わせを増やすことによって、ゲームを単調なものにさせず、ユーザのゲーム継続意欲が向上する。
【００６５】
本実施形態に係る端末装置２０は、第１情報と第２情報とを比較するステップにおいて、ユーザ操作に基づく第１情報とゲーム媒体選択処理によって選定された第２情報との一部または全部が一致するかを判定する。このように、ユーザ操作による入力とゲーム媒体選択処理の結果との一部または全部が一致するかを判定することによって、ゲームを単調なものにさせず、ユーザのゲーム継続意欲を向上させることができる。
【００６６】
本実施形態に係る端末装置２０は、ユーザ操作に基づく第１情報に応じて異なる所定のゲーム効果を発揮可能にする。これにより、ユーザ操作に応じて異なるゲーム効果を発揮可能にすることによって、ゲームを単調なものにさせず、ユーザのゲーム継続意欲を向上させることができる。
【００６７】
本実施形態に係る端末装置２０は、ユーザに関連付けられるゲーム媒体に関する情報を変更する効果、及びゲーム媒体選択処理に用いられるユーザに関連付けられたパラメータを変更する効果の少なくとも１つを含む、ゲーム効果を発揮可能にする。これによって、ユーザごとに付与されるゲーム媒体を変化させ、或いはユーザごとにゲーム媒体選択処理の内容を変化させることができ、提供するゲーム効果のバリエーションを増やすことによって、ユーザのゲーム継続意欲を向上させることができる。
【００６８】
本実施形態に係る端末装置２０は、次回以降にゲーム媒体選択処理が実行される際に、ゲーム媒体選択処理に用いられるパラメータを変更する効果を発揮することができる。これによって、ユーザに次回以降のゲーム媒体選択処理を実行させる動機づけを行うことができ、ユーザのゲーム継続意欲を向上させることができる。
【００６９】
本実施形態に係る端末装置２０は、ユーザによって所定のゲーム効果が発揮されると、または、所定のゲーム効果が発揮されないまま所定期間が経過すると、所定のゲーム効果を発揮不可能にする。これによって、ゲーム効果の発揮回数の上限、或いは発揮可能な期限を設定することによって、ユーザにその期間内に再度ゲーム媒体選択処理を実施させる動機づけを行うことができ、ユーザのゲーム継続意欲を向上させることができる。
【００７０】
本発明を諸図面や実施例に基づき説明してきたが、当業者であれば本開示に基づき種々の変形や修正を行うことが容易であることに留意されたい。したがって、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【００７１】
例えば、前述した本実施形態において、サーバ装置１０が実行する動作及び処理の一部又は全部を、端末装置２０が実行する構成であってもよい。同様に、端末装置２０が実行する動作の一部を、サーバ装置１０が実行する構成であってもよい。例えば、端末装置２０に表示される各種画面の表示制御及び各種ＧＵＩの制御等の処理は、サーバ装置１０及び端末装置２０の何れか一方が実行してもよく、サーバ装置１０及び端末装置２０が協働して実行してもよい。或いは、ゲームシステム１は、サーバ装置１０を備えなくてもよい。かかる場合、端末装置２０は、前述した実施形態においてサーバ装置１０から受信する情報を、予め記憶してもよい。
【００７２】
また、前述した実施形態において、図７を参照して端末装置２０の動作の例について説明した。しかしながら、当該動作に含まれる一部のステップ、又は１つのステップに含まれる一部の動作が、省略されてもよい。論理的に矛盾しない範囲内において、複数のステップの順番が入替わってもよい。
【００７３】
また、前述した実施形態において、端末装置２０に表示される画面の少なくとも一部を、サーバ装置１０が生成したデータに基づいて端末装置２０に表示させるウェブ表示とし、画面の少なくとも一部を、端末装置２０にインストールされているネイティブアプリケーションによって表示させるネイティブ表示としてもよい。このように、前述した実施形態に係るゲームは、サーバ装置１０及び端末装置２０のそれぞれが処理の一部を担うハイブリッドゲームとすることもできる。
【００７４】
また、前述した実施形態に係るサーバ装置１０又は端末装置２０として機能させるために、コンピュータ又は携帯電話等の情報処理装置を好適に用いることができる。このような情報処理装置は、実施形態に係るサーバ装置１０又は端末装置２０の各機能を実現する処理内容を記述したプログラムを、情報処理装置の記憶部に記憶し、情報処理装置のＣＰＵによって当該プログラムを読み出して実行させることによって実現可能である。
【符号の説明】
【００７５】
１  ゲームシステム
１０  サーバ装置
１１  サーバ通信部
１２  サーバ記憶部
１３  サーバ制御部
２０  端末装置
２１  端末通信部
２２  端末記憶部
２３  表示部
２４  入力部
２５  端末制御部
３０  ネットワーク
【図１】
2019025067.tif 000003
【図２】
2019025067.tif 000004
【図３】
2019025067.tif 000005
【図４】
2019025067.tif 000006
【図５】
2019025067.tif 000007
【図６】
2019025067.tif 000008
【図７】
2019025067.tif 000009